(57)【要約】【課題】塵埃や水分等の侵入を防止しながら、操作者の操作に対して力学的な操作感覚を疑似的に作用させることができると共に、操作者の操作とは別に必要に応じて振動を発生させること。【解決手段】指先で操作される操作パネル２を有するケーシング３と、ケーシング内に収容されると共に可動方向Ｌ２に沿って移動可能とされた可動基板４と、ケーシングと可動基板との間に設けられ、ケーシングに対して可動基板を可動方向に瞬間的に変位させるアクチュエータ５と、を備え、アクチュエータは、可動基板の変位に基づいてケーシングに慣性力を作用させる触感提示装置１を提供する。【選択図】図２
2020126588.tif 000002
【特許請求の範囲】
【請求項１】
指先で操作される操作パネルを有するケーシングと、
前記ケーシング内に収容されると共に可動方向に沿って移動可能とされた可動基板と、
前記ケーシングと前記可動基板との間に設けられ、前記ケーシングに対して前記可動基板を前記可動方向に瞬間的に変位させるアクチュエータと、を備え、
前記アクチュエータは、前記可動基板の変位に基づいて前記ケーシングに慣性力を作用させることを特徴とする触感提示装置。
【請求項２】
請求項１に記載の触感提示装置において、
前記アクチュエータは、
前記ケーシングに取り付けられた固定子と、
前記可動基板に取り付けられた可動子と、
前記固定子と前記可動子との間に配置され、温度に応じて長さが変化する形状記憶合金ワイヤと、を備え、
前記形状記憶合金ワイヤは、通電加熱に伴う伸縮によって前記可動子と前記固定子との間隔を変化させる、触感提示装置。
【請求項３】
請求項２に記載の触感提示装置において、
前記アクチュエータは、前記形状記憶合金ワイヤに接触するように配置された熱伝動体を備えている、触感提示装置。
【請求項４】
請求項２又は３に記載の触感提示装置において、
前記形状記憶合金ワイヤは、前記可動基板に対して電気的接続されている、触感提示装置。
【請求項５】
請求項２から４のいずれか１項に記載の触感提示装置において、
前記ケーシングと前記可動基板との間には、前記可動子を前記固定子側に向けて接近させるように、前記可動基板を前記可動方向に沿って付勢する弾性部材が設けられている、触感提示装置。
【請求項６】
請求項５に記載の触感提示装置において、
前記弾性部材は、前記可動方向における弾性率が、前記可動方向に対して直交する２方向における弾性率よりも低くなるように形成され、弾性率の違いによって前記可動基板を前記可動方向に沿って移動可能に案内する、触感提示装置。
【請求項７】
請求項２から６のいずれか１項に記載の触感提示装置において、
前記固定子は、前記可動方向に沿って配置された固定プレート、及び前記可動基板の厚さ方向に突出するように前記固定プレートに取り付けられた複数の固定ピンを備え、
前記可動子は、前記可動方向に沿って配置されると共に、少なくとも一部分が前記固定プレートに対して前記可動基板の厚さ方向に向かい合うように配置された可動プレート、及び前記可動基板の厚さ方向に突出するように前記可動プレートに取り付けられた複数の可動ピンを備え、
複数の前記固定ピン及び複数の前記可動ピンは、前記可動方向及び前記厚さ方向に対して直交する直交方向に沿って、一定の間隔をあけて交互に並ぶように配列され、
前記形状記憶合金ワイヤは、前記固定ピン及び前記可動ピンに対して交互に接触しながら前記直交方向に波状に配置されることで、前記固定ピンと前記可動ピンとの間に挟み込まれている、触感提示装置。
【請求項８】
請求項１から７のいずれか１項に記載の触感提示装置において、
前記ケーシング内には、前記可動基板を前記可動方向に移動可能に案内する案内部材が設けられている、触感提示装置。
【請求項９】
請求項１から８のいずれか１項に記載の触感提示装置において、
前記アクチュエータの少なくとも一部は、前記可動基板に対して該可動基板の厚さ方向に重なるように配置され、
前記可動方向は、前記可動基板の面内に平行な方向とされている、触感提示装置。
【請求項１０】
請求項１から８のいずれか１項に記載の触感提示装置において、
前記アクチュエータと前記可動基板とは、前記可動方向に並ぶように配置され、
前記可動方向は、前記可動基板の面内に平行な方向とされている、触感提示装置。
【請求項１１】
請求項１から１０のいずれか１項に記載の触感提示装置において、
前記ケーシングに設けられ、前記操作パネルを通じて情報を表示する表示パネルと、
前記可動基板に実装され、前記操作パネルの操作に応じて前記表示パネルの表示を制御する制御部と、を備える、触感提示装置。
【発明の詳細な説明】
【技術分野】
【０００１】
本発明は、触感提示装置に関する。
【背景技術】
【０００２】
近年、スマートフォン、スマートウォッチ、タブレット型ＰＣ等の携帯情報端末や、車載用ナビゲーションシステム等の電子機器等には、操作者の操作に対して、振動によって触感を提示する触感提示装置が組み込まれている場合が多い。
【０００３】
例えば下記特許文献１に示されるように、タッチパネルの前面側に配置された接触パネルを指先で触った際に、形状記憶合金ワイヤを利用して接触パネルを瞬間的に移動させて、指先に対して力学的な操作感覚（いわゆるクリック感）を疑似的に作用させる触感提示装置が知られている。
上記接触パネルはタッチパネルを覆った状態で、該接触パネルの面内方向に移動可能に筐体に支持されている。そのため、接触パネルを指先で触った際に、形状記憶合金ワイヤを利用して接触パネルだけを移動させることが可能とされている。
【先行技術文献】
【特許文献】
【０００４】
【特許文献１】国際公開第２０１２／０２３６０６号
【発明の概要】
【発明が解決しようとする課題】
【０００５】
しかしながら、上記特許文献１に記載の従来の触感提示装置では、筐体に対して接触パネルを移動させる必要があるので、接触パネルと筐体との間に僅かな隙間をあけざるを得なかった。そのため、隙間を通じて例えば塵埃や水分が浸入する可能性があり、改善の余地があった。特に、防水性等の観点から使用範囲が限定されてしまうものであった。
【０００６】
さらに上記従来の触感提示装置を、例えばスマートフォン等の携帯情報端末に適用した場合には、例えば電話或いはメールの着信時に、その旨を知らせるための振動源としてまで、接触パネルを利用するは困難である。そのため、振動モータや振動アクチュエータ等の振動源を別に設ける必要があり、部品点数の増大化、高コスト化を招き易かった。
【０００７】
本発明は、このような事情に考慮してなされたもので、その目的は、塵埃や水分等の侵入を防止しながら、操作者の操作に対して力学的な操作感覚を疑似的に作用させることができると共に、操作者の操作とは別に必要に応じて振動を発生させることが可能とされた触感提示装置を提供することである。
【課題を解決するための手段】
【０００８】
（１）本発明に係る触感提示装置は、指先で操作される操作パネルを有するケーシングと、前記ケーシング内に収容されると共に可動方向に沿って移動可能とされた可動基板と、前記ケーシングと前記可動基板との間に設けられ、前記ケーシングに対して前記可動基板を前記可動方向に瞬間的に変位させるアクチュエータと、を備え、前記アクチュエータは、前記可動基板の変位に基づいて前記ケーシングに慣性力を作用させることを特徴とする。
【０００９】
本発明に係る触感提示装置によれば、アクチュエータを利用して可動基板を、いわゆる重錘等の代わりとしてケーシングに対して瞬間的に変位させることができ、ケーシング内で可動基板を例えば所定の加速度で可動方向に沿って移動させることができる。これにより、可動基板の変位に基づいて、ケーシング全体に可動基板の慣性力（推力）を作用させることができる。そのため、操作パネルに触れた指先に対して、力学的な操作感覚を疑似的に作用させることができ、指先に対してクリック感を与えるかのような触感を作用することができる。
【００１０】
特に、ケーシング内に収容される可動基板を変位させる構造であるため、従来のように例えば操作パネルとケーシングとの間に隙間を設ける必要がない。そのため、ケーシング内を容易に密封することができ、ケーシング内に塵埃や水分等が浸入することを防止することができる。従って、特別な防塵、防水構造等が不要となり、簡易な構造でケーシングを密封することが可能となるうえ、使用環境の制限を受けることなく、各種の用途に利用することができる。
従って、使い勝手に優れた触感提示装置とすることができ、例えばスマートフォンやスマートウォッチ等の携帯情報端末等として好適に利用することができる。さらに、操作者の操作とは別に必要に応じて可動基板を変位させることで、例えばケーシングを振動させることも可能である。これにより、例えば電話やメールの着信等を操作者に報知することが可能となり、そのための専用の振動源（例えば振動モータ等）を設ける必要がない。従って、構成の簡略化及び低コスト化に繋げることができる。
【００１１】
（２）前記アクチュエータは、前記ケーシングに取り付けられた固定子と、前記可動基板に取り付けられた可動子と、前記固定子と前記可動子との間に配置され、温度に応じて長さが変化する形状記憶合金ワイヤと、を備え、前記形状記憶合金ワイヤは、通電加熱に伴う伸縮によって前記可動子と前記固定子との間隔を変化させても良い。
【００１２】
この場合には、形状記憶合金ワイヤに対して通電を行うことで、形状記憶合金ワイヤを例えば瞬間的に収縮させることができ、可動子を固定子から離間させることができる。これにより、可動子が設けられている可動基板をケーシングに対して可動方向に沿って瞬間的に移動させることが可能である。そのため、ケーシング全体に可動基板の慣性力（推力）を作用させることができ、操作パネルに触れた指先に対してクリック感を与えるかのような触感を作用させることができる。
さらに、通電加熱によって生じた熱が形状記憶合金ワイヤから放熱されることで、形状記憶合金ワイヤを例えば瞬間的に伸長させることができ、可動子を固定子側に接近させることができる。これにより、可動子が設けられている可動基板をケーシングに対して可動方向に沿って瞬間的に逆方向に移動させることが可能であり、同様に操作パネルに触れた指先に対してクリック感を与えるかのような触感を作用させることができる。
【００１３】
従って、形状記憶合金ワイヤの伸縮を利用して可動基板を可動方向に振動させることが可能となる。特に、インパルス的な振動を発生させることが可能であり、例えば機械スイッチに近い触感を作用させることや、振動モータ等とは違った触感を作用させることが可能である。さらに、形状記憶合金は一般的に伸縮の再現性や応答性に優れている特性を有しているので、例えば操作パネルに対して指先を触れた瞬間にクリック感を与えるかのような触感を安定的に作用させることが可能である。
【００１４】
（３）前記アクチュエータは、前記形状記憶合金ワイヤに接触するように配置された熱伝動体を備えても良い。
【００１５】
この場合には、熱伝動体を利用して、例えば形状記憶合金ワイヤを効率良く放熱することができ、通電加熱によって加熱された形状記憶合金ワイヤの温度を速やかに低下させることができる。これにより、形状記憶合金ワイヤに良好な放熱特性を具備させることができ、伸縮動作の応答性を高めることができる。従って、指先に対してさらに反応良く触感を作用させることができる。
【００１６】
（４）前記形状記憶合金ワイヤは、前記可動基板に対して電気的接続されても良い。
【００１７】
この場合には、例えば可動基板を回路パターン等が形成された制御基板等として利用することで、形状記憶合金ワイヤに対して容易に通電を行うことが可能となり、構成の簡略化に繋げることができる。
【００１８】
（５）前記ケーシングと前記可動基板との間には、前記可動子を前記固定子側に向けて接近させるように、前記可動基板を前記可動方向に沿って付勢する弾性部材が設けられても良い。
【００１９】
この場合には、弾性部材による弾性復元力（付勢力）を利用して、可動子を固定子側に向けて接近させるように可動基板を付勢するので、例えば形状記憶合金ワイヤの収縮を利用して可動子を固定子から離間させた後、形状記憶合金ワイヤの伸縮に伴って、弾性部材による付勢力を利用して可動子を固定子側に向けて確実に接近させることができる。
【００２０】
（６）前記弾性部材は、前記可動方向における弾性率が、前記可動方向に対して直交する２方向における弾性率よりも低くなるように形成され、弾性率の違いによって前記可動基板を前記可動方向に沿って移動可能に案内しても良い。
【００２１】
この場合には、弾性部材が可動方向に弾性変形し易く、可動方向に対して直交する２方向に弾性変形し難くなる。そのため、弾性部材を利用して可動基板を可動方向に沿ってがたつき少なくスムーズに移動させることができ、指先に対して狙い通りの触感を確実に作用させ易い。
【００２２】
（７）前記固定子は、前記可動方向に沿って配置された固定プレート、及び前記可動基板の厚さ方向に突出するように前記固定プレートに取り付けられた複数の固定ピンを備え、前記可動子は、前記可動方向に沿って配置されると共に、少なくとも一部分が前記固定プレートに対して前記可動基板の厚さ方向に向かい合うように配置された可動プレート、及び前記可動基板の厚さ方向に突出するように前記可動プレートに取り付けられた複数の可動ピンを備え、複数の前記固定ピン及び複数の前記可動ピンは、前記可動方向及び前記厚さ方向に対して直交する直交方向に沿って、一定の間隔をあけて交互に並ぶように配列され、前記形状記憶合金ワイヤは、前記固定ピン及び前記可動ピンに対して交互に接触しながら前記直交方向に波状に配置されることで、前記固定ピンと前記可動ピンとの間に挟み込まれても良い。
【００２３】
この場合には、形状記憶合金ワイヤが、固定ピン及び可動ピンに対して交互に接触しながら、固定ピン及び可動ピンの間を縫うように波状（ジグザグ状）に配置され、これによって固定ピンと可動ピンとの間に波状に挟み込まれている。そのため、形状記憶合金ワイヤが伸縮することで、複数の固定ピンと複数の可動ピンとの間隔を可動方向に変化させることができる。これにより、形状記憶合金ワイヤの伸縮を利用して、可動子が取り付けられている可動基板を可動方向に瞬間的に変位させることが可能となる。
【００２４】
固定子及び可動子のうち、形状記憶合金ワイヤと接触する部分については、絶縁性が要求されると共に、所定の熱導電率を具備することが要求される。この点、固定子に関しては、固定プレートに固定ピンを取り付けることで固定子を構成しているので、少なくとも固定ピンが絶縁性及び所定の熱導電率を具備すれば良く、固定子を簡便に構成することが可能である。従って、固定子を低コストで製造することができる。それに加え、固定プレートを、固定ピンとは異なる材料、例えば合成樹脂材料等で形成することが可能となるので、材料選択の自由度を向上でき、さらなる低コスト化を図り易い。
なお、可動子についても可動ピンを具備しているので、上述した固定子と同様の作用効果を奏功することができる。
【００２５】
（８）前記ケーシング内には、前記可動基板を前記可動方向に移動可能に案内する案内部材が設けられても良い。
【００２６】
この場合には、案内部材を利用して可動基板を可動方向に沿ってがたつき少なくスムーズに移動させることができるので、指先に対して狙い通りの触感を確実に作用させ易い。
【００２７】
（９）前記アクチュエータの少なくとも一部は、前記可動基板に対して該可動基板の厚さ方向に重なるように配置され、前記可動方向は、前記可動基板の面内に平行な方向とされても良い。
【００２８】
この場合には、可動基板の可動方向にケーシングの長さが長くなることを抑制することができ、触感提示装置全体のサイズを小型化し易い。
【００２９】
（１０）前記アクチュエータと前記可動基板とは、前記可動方向に並ぶように配置され、前記可動方向は、前記可動基板の面内に平行な方向とされても良い。
【００３０】
この場合には、可動基板の厚さ方向にケーシングが厚くなることを抑制することができ、触感提示装置全体の薄型化を図り易い。
【００３１】
（１１）前記ケーシングに設けられ、前記操作パネルを通じて情報を表示する表示パネルと、前記可動基板に実装され、前記操作パネルの操作に応じて前記表示パネルの表示を制御する制御部と、を備えても良い。
【００３２】
この場合には、表示パネルに表示された情報を視認しながら、操作パネルを指先で操作する際に、クリック感のような触感を感じながら操作を行える。従って、例えばスマートフォンやスマートウォッチ等の携帯情報端末等として好適に利用することができる。
【発明の効果】
【００３３】
本発明によれば、塵埃や水分等の侵入を防止しながら、操作者の操作に対して力学的な操作感覚を疑似的に作用させることができると共に、操作者の操作とは別に必要に応じて振動を発生させることができる。
【図面の簡単な説明】
【００３４】
【図１】本発明に係る携帯情報端末（触感提示装置）の第１実施形態を示す外観斜視図である。
【図２】図１に示す携帯情報端末の分解斜視図である。
【図３】図２に示す制御基板がケーシング内に収容された状態における携帯情報端末の平面図である。
【図４】図３に示すＡ−Ａ線に沿った携帯情報端末の縦断面図である。
【図５】図３に示すアクチュエータの拡大斜視図である。
【図６】図５に示すアクチュエータの動作を示す図である。
【図７】図３に示す状態から、可動子が固定子から離間するように制御基板が移動した状態における携帯情報端末の平面図である。
【図８】本発明に係る携帯情報端末（触感提示装置）の第２実施形態を示す図であって、制御基板がケーシング内に収容された状態における携帯情報端末の平面図である。
【図９】図８に示す携帯情報端末の斜視図である。
【図１０】図８に示すＢ−Ｂ線に沿った携帯情報端末の縦断面図である。
【図１１】本発明に係る携帯情報端末（触感提示装置）の第３実施形態を示す図であって、制御基板がケーシング内に収容された状態における携帯情報端末の平面図である。
【図１２】図１１に示す携帯情報端末の斜視図である。
【図１３】本発明に係る携帯情報端末（触感提示装置）の第４実施形態を示す図であって、制御基板がケーシング内に収容された状態における携帯情報端末の平面図である。
【図１４】図１３に示すＣ−Ｃ線に沿った携帯情報端末の縦断面図である。
【図１５】図１３に示すＤ−Ｄ線に沿った携帯情報端末の縦断面図である。
【図１６】図１３に示すアクチュエータの拡大斜視図である。
【図１７】本発明に係る触感提示装置をスマートウォッチに適用した場合の外観図である。
【発明を実施するための形態】
【００３５】
（第１実施形態）
以下、本発明に係る触感提示装置の第１実施形態について図面を参照して説明する。本実施形態では、触感提示装置としてスマートフォン等の携帯情報端末を例に挙げて説明する。
【００３６】
図１〜図４に示すように、本実施形態の携帯情報端末１は、指先で操作されるタッチパネル（本発明に係る操作パネル）２を有するケーシング３と、ケーシング３内に収容されると共に移動可能とされた制御基板（本発明に係る可動基板）４と、ケーシング３と制御基板４との間に設けられ、ケーシング３に対して制御基板４を瞬間的に変位させるアクチュエータ５と、を備えている。
【００３７】
本実施形態では、ケーシング３の平面視でケーシング３の厚さ方向Ｌ１に対して互いに直交する２方向を第１方向Ｌ２及び第２方向Ｌ３という。
ケーシング３は、第１方向Ｌ２に沿った長さが第２方向Ｌ３に沿った長さよりも長い平面視矩形状に形成されていると共に、厚みの薄い有底筒状に形成されている。ケーシング３には、該ケーシング３に対して厚さ方向Ｌ１に重なるように配置されたカバーガラス６が一体的に組み合わされている。ケーシング３の開口部は、このカバーガラス６によって塞がれている。
なお、厚さ方向Ｌ１のうち、ケーシング３の底壁部１０からカバーガラス６に向かう方向を上方といい、その反対を下方という。
【００３８】
ケーシング３は、底壁部１０と、底壁部１０の周囲を囲むと共に底壁部１０から上方に向けて突出した４つの周壁部１１とを有する有底筒状に形成され、上方に開口している。４つの周壁部１１のうち第１方向Ｌ２に向かい合う一対の周壁部１１を前壁部１２及び後壁部１３といい、第２方向Ｌ３に向かい合う一対の周壁部１１を側壁部１４という。
なお、ケーシング３は一部品である必要がなく、例えば複数の部品を一体に組み合わせて構成しても構わない。
【００３９】
カバーガラス６は、ケーシング３の開口部を上方から塞ぐように、ケーシング３に対して一体に組み合わされている。この際、カバーガラス６とケーシング３との間には、所定の防塵及び防水対策が施されている。これにより、ケーシング３の内部は密封された状態とされている。
【００４０】
制御基板４は、携帯情報端末１を動作させるための図示しない各種の電子部品が実装されると共に、両面に図示しない回路パターンが形成された例えばプリント基板とされ、ケーシング３の形状に対応して第１方向Ｌ２に沿った長さが第２方向Ｌ３に沿った長さよりも長い平面視矩形状に形成されている。
なお、制御基板４は、ケーシング３における周壁部１１との間に所定の隙間があくように、ケーシング３のサイズよりも小さい外形サイズとされている。また、制御基板４は、制御基板４の面内方向である第１方向Ｌ２に移動可能とされている。従って、制御基板４の可動方向は、第１方向Ｌ２に一致している。さらに制御基板４は、図示しない支持部材によって可動方向である第１方向Ｌ２に移動可能に支持された状態で、ケーシング３内における厚さ方向Ｌ１の中央に配置されている。
【００４１】
制御基板４のうちケーシング３における側壁部１４に対して向かい合う側縁部４ａには、側壁部１４側に向けて突出した案内突起（本発明に係る案内部材）１５がそれぞれ形成されている。
案内突起１５は、各側縁部４ａにおいて第１方向Ｌ２に間隔をあけて２つ形成されている。そのため、図示の例では、案内突起１５は合計４つ形成されている。ただし、この場合に限定されるものではなく、案内突起１５の数は適宜変更して構わない。
【００４２】
案内突起１５は、側壁部１４側に向けて突出した平面視半円状に形成され、側壁部１４に対してケーシング３の内側から摺接している。これにより、案内突起１５は、側壁部１４に対して摺接しながら、制御基板４を可動方向にがたつき少なく移動可能に案内することが可能とされている。
なお、案内突起１５は制御基板４に一体に形成されている必要はなく、例えばケーシング３の側壁部１４側から制御基板４側に向けて突出するように形成され、制御基板４の側縁部４ａに対して摺接していても構わない。
【００４３】
アクチュエータ５は、制御基板４を可動方向である第１方向Ｌ２に瞬間的に変位させ、変位に基づいてケーシング３に対して慣性力（推力）を作用させる役割を果たしている。
具体的には、アクチュエータ５は、ケーシング３に取り付けられた固定子２０と、制御基板４に取り付けられると共に、固定子２０に対して可動方向である第１方向Ｌ２に向かい合うように配置された可動子３０と、固定子２０と可動子３０との間に配置され、温度に応じて長さが変化する形状記憶合金ワイヤ４０と、を備えている。
【００４４】
図５に示すように、固定子２０は、ケーシング３における前壁部１２のうち第２方向Ｌ３の中央部分に固定されている。なお、図５では、図面を見易くするために、固定子２０と可動子３０とを離間させた状態で図示している。
固定子２０は、第２方向Ｌ３に沿って延びる基部２１と、基部２１から可動子３０側に向けて突出した複数の突起部２２と、を備えている。複数の突起部２２は、第２方向Ｌ３に一定の間隔をあけて配置されていると共に、可動子３０側に向けて所定の突出量で突出するように形成されている。各突起部２２の先端部は、平面視で丸みを帯びた形状、例えば円弧状に形成されている。
なお、図示の例では固定子２０は３つの突起部２２を有しているが、突起部２２の数はこの場合に限定されるものではない。
【００４５】
可動子３０は、制御基板４のうちケーシング３の前壁部１２に対して向かい合う前縁部４ｂ側の上面に固定されている。可動子３０は、制御基板４における第２方向Ｌ３の中央部分に配置されていると共に、固定子２０と同等の高さに配置されている。これにより、先に述べたように、固定子２０と可動子３０とは可動方向に向かい合うように対向配置されている。
【００４６】
可動子３０は、第２方向Ｌ３に沿って延びる基部３１と、基部３１から固定子２０側に向けて突出した複数の突起部３２と、を備えている。第２方向Ｌ３に沿う基部３１の長さは、固定子２０における基部２１の長さと同等とされている。
複数の突起部３２は、第２方向Ｌ３に一定の間隔をあけて配置されていると共に、固定子２０側に向けて所定の突出量で突出するように形成されている。各突起部３２の先端部は、固定子２０側と同様に平面視で丸みを帯びた形状、例えば円弧状に形成されている。
なお、図示の例では、可動子３０は４つの突起部３２を有しているが、突起部３２の数はこの場合に限定されるものではない。
【００４７】
固定子２０側の各突起部２２間の間隔と、可動子３０側の各突起部３２間の間隔とは、同じ間隔（ピッチ）とされている。さらに、固定子２０側の各突起部２２の突出量と、可動子３０側の各突起部３２の突出量とは、同等とされている。そして、可動子３０側の各突起部３２の間に、固定子２０側の各突起部２２がそれぞれ入り込むように、固定子２０及び可動子３０は対向配置されている。これにより、可動子３０側の各突起部３２と固定子２０側の各突起部２２とは、櫛歯状に配列された状態とされている。
【００４８】
形状記憶合金ワイヤ４０は、例えばニッケル−チタン合金製のワイヤとされ、可動子３０側の各突起部３２と固定子２０側の各突起部２２との間に波状に挟み込まれている。なお、形状記憶合金ワイヤ４０の材質は、ニッケル−チタン合金に限定されるものではなく、適宜変更して構わない。
形状記憶合金ワイヤ４０の両端部は、制御基板４の上面に設けられた接続端子４１に接続されている。接続端子４１は、制御基板４における図示しない回路パターンに導通している。これにより、形状記憶合金ワイヤ４０は、接続端子４１を介して制御基板４に電気的接続されており、所定の電圧が印加されることで通電可能とされている。
【００４９】
形状記憶合金ワイヤ４０は、通電によって加熱されることで瞬間的に収縮する。これにより、図６に示すように、形状記憶合金ワイヤ４０は緩んだ状態から張った状態に移行するので、可動子３０を固定子２０から離間させるように可動方向である第１方向Ｌ２に沿って移動させることが可能となる。
このように、形状記憶合金ワイヤ４０は、通電加熱に伴う伸縮によって、可動子３０と固定子２０との間隔を変化させることが可能とされている。
【００５０】
なお、上述した固定子２０及び可動子３０は、形状記憶合金ワイヤ４０の熱伝導率よりも熱伝導率が高い材料で形成されている。具体的には、固定子２０及び可動子３０は、アルミニウム材料で形成され、その表面にはアルマイト処理等によって、絶縁膜となる陽極酸化膜が形成されている。
従って、固定子２０及び可動子３０は、形状記憶合金ワイヤ４０に対して接触するように配置されて、該形状記憶合金ワイヤ４０を放熱させる放熱体（本発明に係る熱伝動体）としても機能する。
【００５１】
上述のように構成されたアクチュエータ５は、図３に示すように、少なくとも可動子３０及び形状記憶合金ワイヤ４０が制御基板４に対して、厚さ方向Ｌ１に重なるように配置されている。
【００５２】
図２〜図４に示すように、ケーシング３と制御基板４との間には、可動子３０を固定子２０側に向けて接近させるように、制御基板４を可動方向である第１方向Ｌ２に沿って付勢するコイルばね（弾性部材）４５が設けられている。
コイルばね４５は、ケーシング３における後壁部１３と、制御基板４のうち後壁部１３に対して向かい合う後縁部４ｃとの間に圧縮状態で配置されている。コイルばね４５の一端部側は後壁部１３に接続され、コイルばね４５の他端部側は制御基板４の後縁部４ｃに接続されている。これにより、コイルばね４５は、弾性復元力（付勢力）を利用して制御基板４の全体を固定子２０側に向けて付勢している。
なお、コイルばね４５の数は１つに限定されるものではなく、例えば第２方向Ｌ３に間隔をあけて複数配置しても構わない。
【００５３】
上述のように制御基板４が固定子２０側に向けて付勢されているので、図３に示すように、形状記憶合金ワイヤ４０は可動子３０と固定子２０との間に挟み込まれた状態とされている。また、形状記憶合金ワイヤ４０によって、コイルばね４５によって付勢された制御基板４は、それ以上固定子２０側に変位することが抑制され、図３に示すように位置決めされた状態とされている。
【００５４】
図４に示すように、タッチパネル２は、カバーガラス６に対して重なるように該カバーガラス６の下方に配置されている。タッチパネル２は、合成樹脂材或いはガラス材で形成された薄型の透明パネルであって、例えば抵抗膜方式、静電容量方式、光学方式等の公知の接触検知機能を具備している。これにより、タッチパネル２は、カバーガラス６を通じて指先で触れた箇所を検知することが可能とされている。従って、タッチパネル２の上面は、カバーガラス６を通じて操作者の指先等によって操作される操作面、いわゆる触感提示面２ａとされている。
【００５５】
タッチパネル２の下方には、該タッチパネル２に対して重なるように表示パネル４６が配置されている。表示パネル４６は、例えばＬＣＤ（Liquid Crystal Display）等の液晶表示装置であって、タッチパネル２及びカバーガラス６を通じて各種の情報を表示可能としている。
これにより、表示パネル４６に表示された各種情報に対応して、カバーガラス６を通じてタッチパネル２を指先で触れることで、触れた場所に対応する操作内容に基づいた入力信号（指令信号）が制御部４７に送られる。
【００５６】
制御部４７は、携帯情報端末１を総合的に制御するＣＰＵ等であって、制御基板４に実装されている。さらに制御基板４には、フラッシュメモリ等の各種記憶部、小型のスピーカ、小型のマイクロフォン、小型のカメラ等が実装されている。なお、これら記憶部、スピーカ、マイクロフォン及びカメラ等については、図示を省略している。
特に制御部４７は、タッチパネル２の操作に伴う上記入力信号に基づいて、表示パネル４６の表示を制御している。さらに制御部４７は、タッチパネル２の操作に基づいて、接続端子４１を介して形状記憶合金ワイヤ４０に所定の電圧を印加して、形状記憶合金ワイヤ４０への通電を制御している。
さらに、ケーシング３内には、各種の構成品に電力を供給する図示しない電源部が配設されていると共に、図示しない取出し可能なメモリカート等が配設されている。なお、電源部としては、例えば充放電可能な二次電池等とされている。
【００５７】
（携帯情報端末の作用）
上述のように構成された携帯情報端末１を使用する場合の作用について説明する。
この場合には、図１に示すように、タッチパネル２及びカバーガラス６を通じて、表示パネル４６に表示された情報を視認しながら、カバーガラス６を通じてタッチパネル２を指先で操作することで、触れた場所に対応する操作を行うことができる。これにより、携帯情報端末１が有する各種機能を適宜利用することができる。
【００５８】
特に、カバーガラス６を通じてタッチパネル２を操作することで、アクチュエータ５を利用して制御基板４をケーシング３に対して瞬間的に変位させることができるので、ケーシング３内で制御基板４を例えば所定の加速度で可動方向である第１方向Ｌ２に沿って移動させることができる。これにより、制御基板４の変位に基づいて、ケーシング３全体に制御基板４の慣性力（推力）を作用させることができる。そのため、タッチパネル２に触れた指先に対して、力学的な操作感覚を疑似的に作用させることができ、指先に対してクリック感を与えるかのような触感を作用することができる。
【００５９】
より詳細に説明する。
カバーガラス６を通じてタッチパネル２が指先で操作されると、制御部４７は接続端子４１を通じて形状記憶合金ワイヤ４０に対して通電を行う。これにより、形状記憶合金ワイヤ４０を加熱して、瞬間的に収縮させることができる。そのため、図６に示すように、固定子２０の各突起部２２と可動子３０の各突起部３２との間に挟み込まれた形状記憶合金ワイヤ４０を、緩んだ状態から張った状態にすることができ、コイルばね４５の弾性復元力（付勢力）に抗して可動子３０を固定子２０から離間させることができる。
【００６０】
これにより、図７に示すように、コイルばね４５を弾性変形させながら、可動子３０が設けられている制御基板４をケーシング３に対して可動方向である第１方向Ｌ２に沿って瞬間的に移動させることが可能である。そのため、ケーシング３全体に制御基板４の慣性力（推力）を作用させることができ、タッチパネル２に触れた指先に対してクリック感を与えるかのような触感を作用させることができる。
【００６１】
さらに、通電加熱によって生じた熱が形状記憶合金ワイヤ４０から放熱されることで、形状記憶合金ワイヤ４０を例えば瞬間的に伸長させることができ、張った状態から緩んだ状態に移行させることができる。
このとき制御基板４は、コイルばね４５による弾性復元力（付勢力）によって、可動子３０が固定子２０側に向けて接近するように付勢されている。そのため、形状記憶合金ワイヤ４０の伸長に伴って、コイルばね４５による付勢力を利用して可動子３０を固定子２０側に向けて確実に接近させることができる。そのため、可動子３０が設けられている制御基板４をケーシング３に対して可動方向である第１方向Ｌ２に沿って瞬間的に逆方向に移動させることができ、図３に示す状態に復帰させることができる。この復帰の際、先ほどと同様にタッチパネル２に触れた指先に対してクリック感を与えるかのような触感を作用させることができる。
【００６２】
従って、形状記憶合金ワイヤ４０の伸縮を利用して制御基板４を可動方向に振動させることが可能となる。特に、インパルス的な振動を発生させることが可能であり、例えば機械スイッチに近い触感を作用させることや、振動モータ等とは違った触感を作用させることが可能である。さらに、形状記憶合金は一般的に伸縮の再現性や応答性に優れている特性を有しているので、タッチパネル２に対して指先を触れた瞬間にクリック感を与えるかのような触感を安定的に作用させることが可能である。
【００６３】
さらに、本実施形態の携帯情報端末１では、ケーシング３内に収容される制御基板４を変位させる構造であるため、従来のように例えばタッチパネル２及びカバーガラス６とケーシング３との間に隙間を設ける必要がない。そのため、ケーシング３内を容易に密封することができ、ケーシング３内に塵埃や水分等が浸入することを防止することができる。従って、特別な防塵及び防水構造等が不要となり、簡易な構造でケーシング３を密封することが可能となるうえ、使用環境の制限を受けることなく、各種の用途に利用することができる。従って、使い勝手に優れており、携帯情報端末１として好適に利用することができる。
【００６４】
しかも、操作者の操作とは別に必要に応じて制御基板４を変位させることで、例えばケーシング３を振動させることも可能である。これにより、例えば電話やメールの着信等を操作者に報知することが可能となり、そのための専用の振動源（例えば振動モータ等）を設ける必要がない。従って、構成の簡略化及び低コスト化に繋げることもできる。
【００６５】
上述したように、本実施形態の携帯情報端末１によれば、塵埃や水分等の侵入を防止しながら、操作者の操作に対して力学的な操作感覚を疑似的に作用させることができると共に、操作者の操作とは別に必要に応じて振動を発生させることができる。
【００６６】
さらに、本実施形態の携帯情報端末１は、固定子２０及び可動子３０が形状記憶合金ワイヤ４０を放熱させる放熱体としても機能するので、形状記憶合金ワイヤ４０を効率良く放熱することができ、通電加熱によって加熱された形状記憶合金ワイヤ４０の温度を速やかに低下させることができる。これにより、形状記憶合金ワイヤに良好な放熱特性を具備させることができ、伸縮動作の応答性を高めることができる。従って、指先に対してさらに反応良く触感を作用させることができる。
【００６７】
なお、本実施形態において、形状記憶合金ワイヤ４０の伸縮に伴う制御基板４の瞬間的な変位は、例えば制御基板４を４ｍ／ｓ〜８ｍ／ｓの速度で、５０μｍ〜１０μｍの変位で行うことが可能とされている。また、形状記憶合金ワイヤ４０への通電時間としては、例えば数ｍｓ〜数十ｍｓとされ、通電に伴う形状記憶合金ワイヤ４０の収縮率としては、例えば数％とされている。
【００６８】
さらに、形状記憶合金ワイヤ４０は、接続端子４１を介して制御基板４に電気的接続されているので、形状記憶合金ワイヤ４０に対して容易に通電を行うことが可能となり、構成の簡略化に繋げることができる。また、案内突起１５を利用して制御基板４を可動方向に沿ってがたつき少なくスムーズに移動させることができるので、指先に対して狙い通りの触感を確実に作用させ易い。
さらに、アクチュエータ５は、可動子３０及び形状記憶合金ワイヤ４０が制御基板４に対して厚さ方向Ｌ１に重なるように配置されているので、制御基板４の可動方向である第１方向Ｌ２にケーシング３の長さが長くなることを抑制することができ、携帯情報端末１全体のサイズを小型化し易い。
【００６９】
（第２実施形態）
次に、本発明に係る触感提示装置の第２実施形態について図面を参照して説明する。なお、この第２実施形態においては、第１実施形態における構成要素と同一の部分については、同一の符号を付しその説明を省略する。
【００７０】
第１実施形態では、制御基板４を可動方向に案内部材として、案内突起１５が制御基板４に一体的に形成されていたが、本実施形態では案内部材が制御基板４側ではなく、ケーシング３側に設けられている。
【００７１】
図８〜図１０に示すように、本実施形態の携帯情報端末（本発明に係る触感提示装置）５０は、ケーシング３における側壁部１４に、制御基板４を可動方向に沿って案内する一対の案内部材５１がそれぞれ設けられている。案内部材５１は、制御基板４を間に挟んで第２方向Ｌ３に向かい合うように配置され、ケーシング３における側壁部１４の内側に固定されている。
【００７２】
案内部材５１は、制御基板４よりも厚く形成されると共に第１方向Ｌ２に沿って延びるように形成され、制御基板４の側縁部４ａに対して摺接する基台部５２と、基台部５２から第２方向Ｌ３に沿って制御基板４側に向かって突出するように形成され、制御基板４を厚さ方向Ｌ１から挟み込むように配置された上フランジ片５３及び下フランジ片５４と、を備えている。
【００７３】
基台部５２の第１方向Ｌ２に沿った長さは、制御基板４の第１方向Ｌ２に沿った長さよりも短く形成されている。ただし、この場合に限定されるものではなく、基台部５２の長さは、制御基板４の長さと同等であっても構わない。
上フランジ片５３及び下フランジ片５４は、基台部５２と同等の長さに形成され、制御基板４を間に挟んで厚さ方向Ｌ１に向かい合うように形成されている。上フランジ片５３の下面は制御基板４の上面に対して摺接しており、下フランジ片５４の上面は制御基板４の下面に対して摺接している。
【００７４】
上フランジ片５３と下フランジ片５４との間の空間は、第１方向Ｌ２に開口すると共に制御基板４側に開口するガイド孔５５とされている。制御基板４は、ガイド孔５５内に入り込んだ状態で案内部材５１によって支持され、第１方向Ｌ２に移動可能に案内されている。さらに制御基板４は、上フランジ片５３及び下フランジ片５４によって厚さ方向Ｌ１に対しても位置決めされた状態で支持されている。
【００７５】
上述のように構成された一対の案内部材５１の各上フランジ片５３には、上フランジ片５３のうち可動子３０側に位置する部分から第２方向Ｌ３に沿って突出する支持突起５６がそれぞれ形成されている。各支持突起５６は、第２方向Ｌ３に向かい合うように配置されている。
そして、制御基板４の上面には、可動子３０を固定子２０側に向けて接近させるように、可動子３０及び制御基板４を可動方向である第１方向Ｌ２に付勢する板ばね部材（本発明に係る弾性部材）５７が配置されている。
【００７６】
板ばね部材５７は、支持突起５６、上フランジ片５３及び可動子３０と同等の厚みとされ、両端部から中央部に向けて可動子３０側に向けて突出するように凸状に湾曲している。板ばね部材５７は、両端部が支持突起５６に対して可動子３０側から接触し、且つ中央部が可動子３０に対して接触するように、可動子３０と支持突起５６との間に弾性変形した状態で配置されている。これにより、板ばね部材５７は、弾性復元力（付勢力）利用して、可動子３０を固定子２０側に向けて常時付勢している。
【００７７】
（携帯情報端末の作用）
上述のように構成された携帯情報端末５０の場合であっても、第１実施形態と同様の作用効果を奏功することができる。
それに加えて本実施形態の場合には、板ばね部材５７が上フランジ片５３及び可動子３０と同等の厚さで形成され、制御基板４に対して厚さ方向Ｌ１に重なって配置されているので、第１実施形態の携帯情報端末１よりも、さらに可動方向である第１方向Ｌ２へのケーシング３の長さを短くすることができる。従って、携帯情報端末５０のさらなる小型化を図ることができる。
【００７８】
（第３実施形態）
次に、本発明に係る触感提示装置の第３実施形態について図面を参照して説明する。なお、この第３実施形態においては、第１実施形態における構成要素と同一の部分については、同一の符号を付しその説明を省略する。
【００７９】
第１実施形態では、アクチュエータ５が制御基板４に対して厚さ方向Ｌ１に重なるように配置されていたが、本実施形態ではアクチュエータ５が制御基板４に対して可動方向に並ぶように配置されている。
【００８０】
図１１及び図１２に示すように、本実施形態の携帯情報端末（本発明に係る触感提示装置）６０は、アクチュエータ５と制御基板４とが可動方向である第１方向Ｌ２に並ぶように配置されている。
アクチュエータ５を構成する可動子３０は、制御基板４と厚さ方向Ｌ１に同等の厚みで形成され、制御基板４における前縁部４ｂに対して取り付けられている。アクチュエータ５を構成する固定子２０は、可動子３０と同等の厚みで形成され、可動子３０に対して可動方向である第１方向Ｌ２に向かうようにケーシング３における前壁部１２に取り付けられている。
なお、本実施形態では、形状記憶合金ワイヤ４０の両端部が接続される接続端子４１の図示を省略している。
【００８１】
さらに本実施形態では、制御基板４における側縁部４ａとケーシング３における側壁部１４との間に、可動子３０を固定子２０側に向けて接近させるように制御基板４を可動方向に付勢する板ばね部材（本発明に係る弾性部材）６１が配置されている。
【００８２】
板ばね部材６１は、各側縁部４ａにおいて第１方向Ｌ２に間隔をあけて２つ形成されている。そのため、図示の例では、板ばね部材６１は合計４つ形成されている。ただし、この場合に限定されるものではなく、板ばね部材６１の数は適宜変更して構わない。
【００８３】
板ばね部材６１は、例えば制御基板４と同等の厚みで形成されると共に、第１方向Ｌ２に沿った幅が厚みよりも小さい板片状に形成され、一端部側がケーシング３の側壁部１４に接続され、他端部側が制御基板４の側縁部４ａに接続されている。そして、板ばね部材６１は、弾性復元力（付勢力）を利用して制御基板４の全体を固定子２０側に向けて常時付勢している。
【００８４】
特に、本実施形態の板ばね部材６１は、可動方向である第１方向Ｌ２における弾性率が、第１方向Ｌ２に対して直交する２方向、すなわち第２方向Ｌ３及び厚さ方向Ｌ１における弾性率よりも低くなるように形成され、弾性率の違いによって制御基板４を可動方向である第１方向Ｌ２に沿って移動可能に案内する機能も果たしている。
従って、本実施形態では、第１実施形態における案内突起１５、及び第２実施形態における案内部材５１が不要となる。さらに、制御基板４は板ばね部材６１によって厚さ方向Ｌ１に対しても位置決めされた状態で支持されている。ただし、本実施形態において、例えば第１実施形態における案内突起１５、或いは第２実施形態における案内部材５１をさらに具備しても構わない。
【００８５】
（携帯情報端末の作用）
上述のように構成された携帯情報端末６０の場合であっても、第１実施形態と同様の作用効果を奏功することができる。
それに加えて本実施形態の場合には、アクチュエータ５と制御基板４とが可動方向である第１方向Ｌ２に沿って並んでいるので、厚さ方向Ｌ１にケーシング３が厚くなることを抑制することができ、携帯情報端末６０全体の薄型化を図り易い。さらに、板ばね部材６１を利用して、制御基板４を可動方向である第１方向Ｌ２に沿ってがたつき少なくスムーズに移動させることができるので、指先に対して狙い通りの触感を確実に作用させ易い。
【００８６】
（第４実施形態）
次に、本発明に係る触感提示装置の第４実施形態について図面を参照して説明する。なお、この第４実施形態においては、第１実施形態における構成要素と同一の部分については、同一の符号を付しその説明を省略する。
【００８７】
第１実施形態では、基部２１から可動子３０側に向けて突出した突起部２２を有するように固定子２０が形成され、基部３１から固定子２０側に向けて突出した突起部３２を有するように可動子３０が形成されていたが、本実施形態では固定子が複数の固定ピンを有し、可動子が複数の可動ピンを有している。
【００８８】
図１３〜図１６に示すように、本実施形態の携帯情報端末（本発明に係る触感提示装置）７０は、複数の固定ピン８１を有する固定子８０と、複数の可動ピン９１を有する可動子９０と、を具備するアクチュエータ７１を備えている。
【００８９】
固定子８０は、可動方向である第１方向Ｌ２に平行に配置された固定プレート８２と、厚さ方向Ｌ１に突出するように固定プレート８２に取り付けられた複数の固定ピン８１と、を備えている。
固定プレート８２は、第１方向Ｌ２に沿った長さよりも第２方向Ｌ３に沿った長さの方が長い平面視長方形状に形成された板状プレートであって、ケーシング３における前壁部１２のうち第２方向Ｌ３の中央部分に固定されている。この際、固定プレート８２は、制御基板４よりも上方に位置するように固定されている。
【００９０】
固定ピン８１は、円柱状に形成され、固定プレート８２から下方に向けて突出するように固定プレート８２に対して取り付けられている。具体的には、固定ピン８１は圧入によって固定プレート８２に固定されている。
ただし、固定プレート８２に対する固定ピン８１の取付け方法は、この場合に限定されるものではなく、例えば接着等によって固定しても構わない。さらに、例えば固定プレート８２を合成樹脂材料で形成し、固定ピン８１を金属材料で形成する場合には、インサート成形によって固定プレート８２と固定ピン８１とを一体に組み合わせても構わない。
【００９１】
固定ピン８１の先端部（下端部）は、丸みを帯びた半球状に形成されている。ただし、この場合に限定されるものではなく、固定ピン８１の先端部を平坦状に形成しても構わない。
なお、固定ピン８１は、下端部が後述する可動プレート９２に対して近接する長さ、或いは下端部と可動プレート９２との間に僅かな隙間が確保される長さで形成されている。
【００９２】
上述した固定ピン８１は、可動方向である第１方向Ｌ２及び厚さ方向Ｌ１に直交する直交方向である第２方向Ｌ３に一定の間隔をあけて配置されている。図示の例では、固定プレート８２に対して３つの固定ピン８１が取り付けられている。ただし、固定ピン８１の数は、この場合に限定されるものではない。
【００９３】
可動子９０は、可動方向である第１方向Ｌ２に平行に配置された可動プレート９２と、厚さ方向Ｌ１に突出するように可動プレート９２に取り付けられた複数の可動ピン９１と、を備えている。
可動プレート９２は、第１方向Ｌ２に沿った長さよりも第２方向Ｌ３に沿った長さの方が長い平面視長方形状に形成された板状プレートであって、制御基板４における前縁部４ｂのうち第２方向Ｌ３の中央部分に固定されている。従って、可動プレート９２は、固定プレート８２よりも下方に配置され、且つ制御基板４に対して第１方向Ｌ２に並ぶように配置されている。また、可動プレート９２は、少なくとも一部分が固定プレート８２に対して厚さ方向Ｌ１に向かい合うように配置されている。
【００９４】
可動ピン９１は、円柱状に形成され、可動プレート９２から上方に向けて突出するように可動プレート９２に対して取り付けられている。具体的には、可動ピン９１は圧入によって可動プレート９２に固定されている。
ただし、可動プレート９２に対する可動ピン９１の取付け方法は、この場合に限定されるものではなく、例えば接着等によって固定しても構わない。さらに、例えば可動プレート９２を合成樹脂材料で形成し、可動ピン９１を金属材料で形成する場合には、インサート成形によって可動プレート９２と可動ピン９１とを一体に組み合わせても構わない。
【００９５】
可動ピン９１の上端部（先端部）は、丸みを帯びた半球状に形成されている。ただし、この場合に限定されるものではなく、可動ピン９１の先端部を平坦状に形成しても構わない。
なお、可動ピン９１は、上端部が固定プレート８２に対して近接する長さ、或いは上端部と固定プレート８２との間に僅かな隙間が確保される長さで形成されている。
【００９６】
上述した可動ピン９１は、可動方向である第１方向Ｌ２及び厚さ方向Ｌ１に直交する直交方向である第２方向Ｌ３に一定の間隔をあけて配置されている。図示の例では、可動プレート９２に対して４つの可動ピン９１が取り付けられている。ただし、可動ピン９１の数は、この場合に限定されるものではない。
【００９７】
上述した複数の固定ピン８１間の間隔と、複数の可動ピン９１間の間隔とは、同じ間隔（ピッチ）とされている。さらに、固定ピン８１の長さと可動ピン９１の長さとは同等とされている。これにより、固定ピン８１及び可動ピン９１は、第２方向Ｌ３に沿って一定の間隔をあけて交互に配列されている。
【００９８】
なお、固定ピン８１及び可動ピン９１の材質としては、特に限定されるものではないが、例えば形状記憶合金ワイヤ４０の熱伝導率よりも熱伝導率が高い材料で形成されている。具体的には、固定ピン８１及び可動ピン９１は、アルミニウム材料で形成され、その表面にはアルマイト処理等によって絶縁膜となる陽極酸化膜が形成されている。
ただし、固定ピン８１及び可動ピン９１を、アルミニウム以外の金属材料、例えば真鍮等で形成しても構わないし、合成樹脂材料で形成しても構わない。
【００９９】
なお、本実施形態の固定ピン８１及び可動ピン９１は、形状記憶合金ワイヤ４０に対して接触するように配置されて、該形状記憶合金ワイヤ４０を放熱させる放熱体（本発明に係る熱伝動体）としても機能する。
【０１００】
上述のように構成された固定子８０及び可動子９０に対して、形状記憶合金ワイヤ４０は、固定ピン８１及び可動ピン９１に対して交互に接触しながら、固定ピン８１及び可動ピン９１の間を縫うように第２方向Ｌ３に波状（ジグザグ状）に配置されている。これにより、形状記憶合金ワイヤ４０は、固定ピン８１と可動ピン９１との間に波状に挟み込まれている。
なお、形状記憶合金ワイヤ４０の両端部は、可動プレート９２に取り付けられた接続端子４１に接続されている。接続端子４１は、図示しない配線部を介して制御基板４における図示しない回路パターンに導通している。
【０１０１】
（携帯情報端末の作用）
上述のように構成された携帯情報端末７０の場合であっても、第１実施形態と同様の作用効果を奏功することができる。
すなわち、形状記憶合金ワイヤ４０が固定ピン８１と可動ピン９１との間に波状に挟み込まれているので、形状記憶合金ワイヤ４０が伸縮することで、固定ピン８１と可動ピン９１との間隔を第１方向Ｌ２に変化させることができる。これにより、形状記憶合金ワイヤ４０の伸縮を利用して、可動子９０が取り付けられている制御基板４を第１方向Ｌ２に瞬間的に変位させることができる。従って、タッチパネル２に触れた指先に対してクリック感を与えるような触感を作用させることができる。
【０１０２】
このように、固定ピン８１及び可動ピン９１を利用するアクチュエータ７１の場合であっても、第１実施形態と同様の作用効果を奏功することができる。
なお、固定ピン８１の下端部及び可動ピン９１の上端部は共に丸みを帯びて形成されているうえ、固定ピン８１と可動プレート９２との間、及び可動ピン９１と固定プレート８２との間は近接或いは僅かな隙間が確保されている。そのため、固定ピン８１及び可動ピン９１を利用する場合であっても、可動子９０及び制御基板４の移動が阻害されることなく、制御基板４のスムーズな移動を可能とすることができる。
【０１０３】
特に、本実施形態の場合には、固定プレート８２に固定ピン８１を取り付けることで固定子８０を構成しているので、少なくとも固定ピン８１が絶縁性及び所定の熱導電率を具備すれば良く、固定子８０を簡便に構成することが可能である。従って、固定子８０を低コストで製造することができる。
例えば、中実のアルミニウムの棒材を所定の外径に仕上げた後、所定の長さで切断し、丸みを帯びるように先端部を加工することで、固定ピン８１として利用することができる。そのため、低コストで固定子８０を製造することが可能となる。
【０１０４】
それに加え、固定プレート８２を、固定ピン８１とは異なる材料、例えば合成樹脂材料等で形成することが可能となるので、材料選択の自由度を向上でき、さらなる低コスト化を図り易い。
なお、可動子９０についても可動ピン９１を具備しているので、上述した固定子８０と同様の作用効果を奏功することができる。
【０１０５】
なお、上記第４実施形態では、固定プレート８２を制御基板４よりも上方に配置して、固定ピン８１を下方に向けて突出するように形成したが、この場合に限定されるものではない。例えば、固定プレート８２を制御基板４よりも下方に配置して、固定ピン８１を上方に向けて突出するように形成しても構わない。この場合には、可動ピン９１を、可動プレート９２から下方に向けて突出するように形成すれば良い。
【０１０６】
以上、本発明の実施形態を説明したが、これらの実施形態は例として提示したものであり、発明の範囲を限定することは意図していない。実施形態は、その他様々な形態で実施されることが可能であり、発明の要旨を逸脱しない範囲で、種々の省略、置き換え、変更を行うことができる。実施形態やその変形例には、例えば当業者が容易に想定できるもの、実質的に同一のもの、均等の範囲のものなどが含まれる。
【０１０７】
例えば上記各実施形態では、触感提示装置をスマートフォン等の携帯情報端末に適用した場合に例に挙げて説明したが、例えば図１７に示すように、スマートウォッチ１００に適用しても構わない。さらに、携帯情報端末に限定されるものではなく、例えば車載用カーナビゲーションシステム等でも良く、タッチ時に指先に対して物理的な操作触感を疑似的に作用させる各種の電子機器等に適用しても構わない。
【０１０８】
さらに上記各実施形態では、アクチュエータの一例として形状記憶合金ワイヤを用いた場合を説明したが、この場合に限定されるものではない。例えば圧電素子を利用した圧電アクチュエータや、ソレノイド型の電磁アクチュエータや、ボイスコイル型の電磁アクチュエータ（例えばリニアモータ）等であっても構わない。
【０１０９】
さらに上記各実施形態では、可動基板の一例として制御基板を説明したが、この場合に限定されるものではなく、所定の重量を有する専用の可動基板であっても構わない。
ただし、各実施形態のように、制御基板を利用することで構成の簡略化を図ることができるので、好ましい。特にこの場合において、例えば制御基板に二次電池等の電源部を一体的に組み合わせ、電源部及び制御基板を含めた可動対象全体の重量を重くすることが好ましい。このようにすることで、より明瞭な触感を指先に対して作用させることが可能となる。
【０１１０】
さらに上記各実施形態では、制御基板を該制御基板の面内に沿った第１方向に移動（変位）させた場合を例に挙げて説明したが、この場合に限定されるものではない。例えば、制御基板の厚さ方向に対して移動（変位）させても構わない。
【符号の説明】
【０１１１】
Ｌ２…第１方向（可動方向）
Ｌ３…第２方向（直交方向）
１、５０、６０、７０…携帯情報端末（触感提示装置）
２…タッチパネル（操作パネル）
３…ケーシング
４…制御基板（可動基板）
５、７１…アクチュエータ
１５…案内突起（案内部材）
２０…固定子、熱伝動体
３０…可動子、熱伝動体
４０…形状記憶合金ワイヤ
４５…コイルばね（弾性部材）
４６…表示パネル
４７…制御部
５１…案内部材
５７、６１…板ばね部材（弾性部材）
８０…固定子
９０…可動子
８１…固定ピン、熱伝動体
９１…可動ピン、熱伝動体
１００…スマートウォッチ（触感提示装置）
【図１】
2020126588.tif 000003
【図２】
2020126588.tif 000004
【図３】
2020126588.tif 000005
【図４】
2020126588.tif 000006
【図５】
2020126588.tif 000007
【図６】
2020126588.tif 000008
【図７】
2020126588.tif 000009
【図８】
2020126588.tif 000010
【図９】
2020126588.tif 000011
【図１０】
2020126588.tif 000012
【図１１】
2020126588.tif 000013
【図１２】
2020126588.tif 000014
【図１３】
2020126588.tif 000015
【図１４】
2020126588.tif 000016
【図１５】
2020126588.tif 000017
【図１６】
2020126588.tif 000018
【図１７】
2020126588.tif 000019